(57)【要約】【課題】第１の電子基板と第２の電子基板とをスイッチスペーサにより対面間隔をもって連結させた場合において、落下衝撃で第２の電子基板が脱落することを十分に防止することができるスイッチスペーサおよび電気機器を提供する。【解決手段】スイッチスペーサ１を、基板面にスイッチを配した表示操作基板１０２に取付けられるフレーム部２に、スイッチ１０４に対向するスペーサ部７と、表示操作基板１０２に対面する制御基板１０３に向けて延びる爪脚部９ａ、９ｂ、９ｃとを設け、爪脚部９ａ、９ｂ、９ｃは制御基板１０３の基板面に設けた角穴１１０に爪係合した状態で表示操作基板１０２と制御基板１０３とを対面間隔を保って連結し、制御基板１０３に向けて延びる弾性脚部１２ａ、１２ｂを設け、この弾性脚部１２ａ、１２ｂと係合状態の爪脚部９ａ、９ｂとにより制御基板１０３を爪係合方向に挟むようにした。【選択図】図１
2006185850.tif 000002
【特許請求の範囲】
【請求項１】
基板面にスイッチを配した第１の電子基板に取付けられるフレーム部を有し、このフレーム部に、上記スイッチに対向するスペーサ部と、上記第１の電子基板に対面する第２の電子基板に向けて延びる爪脚部とを設け、この爪脚部は、上記第２の電子基板の基板面に設けた係合穴に爪係合した状態で、上記第１の電子基板と上記第２の電子基板とを対面間隔を保って連結するスイッチスペーサにおいて、上記第２の電子基板に向けて延びる弾性脚部を設け、この弾性脚部と係合状態の爪脚部とにより上記第２の電子基板を爪係合方向に挟むことを特徴とするスイッチスペーサ。
【請求項２】
上記弾性脚部が、上記第２の電子基板の周方向において上記爪脚部とずれ合った状態でこの第２の電子基板を挟むことを特徴とする請求項１に記載のスイッチスペーサ。
【請求項３】
請求項１または２に記載のスイッチスペーサを備え、上記第１の電子基板を上記第２の電子基板との対面方向に支持する取付け部が機器内に設けられており、この取付け部に上記第１の電子基板が装着されている電気機器。
【発明の詳細な説明】
【技術分野】
【０００１】
この発明は、炊飯器等の調理器その他の電気機器に備わるスイッチのスイッチスペーサ及びそのスイッチスペーサを用いた電気機器に関するものである。
【背景技術】
【０００２】
使用者が機器の外部からスイッチを操作することにより各種の制御を行わせる電気機器（例えば、炊飯器）においては、電子基板にタクトスイッチ等の小型スイッチや発光素子をそれぞれ所要数取付けた表示操作部と、マイコンを始めとする各種制御素子を取付けた制御部とが設けられ、その表示操作部のスイッチを操作パネルの表面から押圧操作するために、操作パネルと電子基板の間にスイッチスペーサが介在される。
【０００３】
このように多数の電子部品を１枚の電子基板に実装すると機器内に設置スペースを確保するのが困難になる。そこで、従来から、電子基板の小面積化を図るため、スイッチスペーサにより複数枚の電子基板を対面状態に連結させる場合があった（特許文献１参照）。
【０００４】
例えば、特許文献１に記載のスイッチスペーサは、第１の電子基板に係合する取付け脚を設けたフレームに、第１の電子基板上のスイッチに対向するスペーサ部を設け、上記フレームに第２の電子基板との連結部を設けたものである。
【０００５】
上記の連結部は、上記の取付け脚と同方向に突き出した連結脚により形成されており、その先端部は、第２の電子基板側を貫通してその電子基板に係合する爪状に形成されている。先端部と第２の電子基板とが係合されると、上記２枚の電子基板は、連結脚により一定間隔に保持され、互いの基板面が対面した状態に連結される。
【０００６】
【特許文献１】特開２００１−１９８００６号公報
【発明の開示】
【発明が解決しようとする課題】
【０００７】
しかしながら、特許文献１のようなスイッチスペーサは、電気機器が強い勢いで床等に衝突した場合、第１の電子基板が機器に対して固定されているのに対して、これと連結脚で中空に保持された第２の電子基板は、機器内に伝わった衝撃により瞬間的に強く揺れることがある。この際、爪係合が瞬間的に緩んで連結脚と第２の電子基板との係合が外れる可能性があった。このような状態になると、第２の電子基板が脱落して第１の電子基板と接触したり、他の部材に接触したりする恐れがある。
【０００８】
そこで、この発明の課題は、第１の電子基板と第２の電子基板とをスイッチスペーサにより対面間隔をもって連結させた場合において、落下衝撃で第２の電子基板が脱落することを十分に防止することができるスイッチスペーサおよび電気機器を提供することにある。
【課題を解決するための手段】
【０００９】
上記の課題を解決する手段ため、基板面にスイッチを配した第１の電子基板に取付けられるフレーム部を有し、このフレーム部に、上記スイッチに対向するスペーサ部と、上記第１の電子基板に対面する第２の電子基板に向けて延びる爪脚部とを設け、この爪脚部は、上記第２の電子基板の基板面に設けた係合穴に爪係合した状態で、上記第１の電子基板と上記第２の電子基板とを対面間隔を保って連結するスイッチスペーサにおいて、この発明に係るスイッチスペーサは、上記第２の電子基板に向けて延びる弾性脚部を設け、この弾性脚部と係合状態の爪脚部とにより上記第２の電子基板を爪係合方向に挟むように構成される。
【００１０】
この発明の構成によれば、衝撃により第２の電子基板が爪係合の解除方向に揺れた場合でも、弾性脚部と係合状態の爪脚部とにより上記第２の電子基板を爪係合方向に挟むため、係合解除が防止される。
【００１１】
ここで、弾性脚部は、係合穴から爪係合方向に向けた延長線上において第２の電子基板を挟む態様のものに限定されない。この態様によれば、最も効果的に係合解除が防止されるが、スイッチスペーサには、爪脚部と弾性脚部とが同一線上において対向することになる。ところが、弾性脚部と爪脚部は第２の電子基板を弾性締め付けにより挟むため、爪脚部ないし弾性脚部間の爪係合方向における間隔は、爪係合前のときの方が爪係合状態のときよりも狭い。したがって、この態様では、爪脚部を係合穴に挿入する際、爪脚部ないし弾性脚部を爪係合解除ないし爪係合方向に比較的大きく曲げなければならず、前記の挿入を行い難い。
【００１２】
そこで、上記弾性脚部が、上記第２の電子基板の周方向において上記爪脚部とずれ合った状態でこの第２の電子基板を挟む構成を採用すれば、上記の係合解除の防止を奏しながら、上記の両脚部が同一直線上で対向しない分、爪脚部を係合穴に挿入し易くなる。ここで、第２の電子基板に直辺部を設け、この直辺部の法線上に係合穴を配すれば、上記弾性脚部が、上記第２の電子基板の周方向において上記爪脚部とずれ合った状態であっても、上記弾性脚部と第２の電子基板との接触が安定するため、上記の挟み状態の安定を図ることができる。
【００１３】
また、この発明に係るスイッチスペーサを備え、上記第１の電子基板を上記第２の電子基板との対面方向に支持する取付け部が機器内に設けられており、この取付け部に上記第１の電子基板が装着されている電気機器は、上記弾性脚部により第２の電子基板の脱落が十分に防止されるものとなる。
【発明の効果】
【００１４】
以上に述べたように、この発明によれば、第１の電子基板と第２の電子基板とをスイッチスペーサにより対面間隔をもって連結させた場合において、落下衝撃で第２の電子基板が脱落することを十分に防止することができるスイッチスペーサおよび電気機器を提供することができる。
【発明を実施するための最良の形態】
【００１５】
以下、この発明に係るスイッチスペーサおよび電気機器の実施形態を添付図面に基づいて説明する。図１は、実施形態に係る電気機器のスイッチスペーサ部分を抜粋し、前方右斜め上から見た様子を示す。図２は、実施形態に係る電気機器の外観を前方右斜め上方から見た様子を示す。
【００１６】
図１、図２に示すように、電気機器１００は、電気炊飯器として構成されている。一方、スイッチスペーサ１は、電気機器１００の操作パネル１０１の下方に配置された表示操作基板１０２（第１の電子基板）に備えられており、表示操作基板１０２と、これと対面する制御基板１０３（第２の電子基板）とを対面間隔を保って連結している。
【００１７】
図３（ａ）は、スイッチスペーサ１の上面視を図示すると共に、これと同倍率により表示操作基板１０２および制御基板１０３の上面視における外形を２点鎖線で描いた様子を示し、図３（ｂ）は、（ａ）図の後面視を示す。図４は、電気機器１００のスイッチスペーサ１付近を図３（ａ）のＩＶ−ＩＶ線に沿って切断し、矢視した様子を拡大して示す。図５は、スイッチスペーサ１と表示操作基板１０２とを抜粋し、スイッチスペーサ１を表示操作基板１０２から取り外した状態を後方左斜め下から見た様子を示す。
【００１８】
図３に示すように、表示操作基板１０２と制御基板１０３の各外周形状は、上面視において、後端縁ｂ２、ｂ３が直辺状を呈し、側端縁ｓ２、ｓ３が後端縁両端より前方側に向けて平行し、両側端縁間を結ぶ前端縁ｆ２、ｆ３が複数の直辺部により略弓形を呈するように設けられている。両基板１０２、１０３の大きさは、両者の後端縁を重ねた場合に、その後端縁以外の部分で制御基板１０３が表示操作基板１０２の周りからはみ出すように形成されている。
【００１９】
表示操作基板１０２は、図１に示すように、その上面側の基板面にタクトスイッチ等からなる複数のスイッチ１０４、発光素子１０５（図７参照）等が配されている。これらの部品は下面側の基板面においてプリント配線されている。また、制御基板１０３も基板面に各種の電子素子１０６が取付けられており、プリント配線がなされている。両基板１０２、１０３は、フラットケーブル１０７により電気的に接続されている。
【００２０】
また、表示操作基板１０２の上面側の基板面には、操作パネル１０１にエンボス成形された操作ボタン部１０８の動きをスイッチ１０４に伝達するスイッチスペーサ１が取付けられている。
【００２１】
スイッチスペーサ１は、図１、図４、図５に示すように、弓形棒状のフレーム部２を有する。フレーム部２の下面には、係止部付きの取付け脚３及び位置決め用の突起４がそれぞれ複数設けられている。これらの取付け脚３及び突起４は、表示操作基板１０２に対応して設けられた挿入孔１０９ａ、１０９ｂに係合される。
【００２２】
また、フレーム部２には、ねじ止め用スリーブ５と、片持ち式の弾性アーム６とが複数設けられている。各弾性アーム６の先端はスペーサ部７となっている。スペーサ部７は表示操作基板１０２のスイッチ１０４に対向する位置に設けられている。さらに、フレーム部２には発光素子カバー８が表示操作基板１０２の発光素子１０５に対向して設けられている。各スペーサ部７は各スイッチ１０４に接近し、また発光素子１０５は発光素子カバー８の内側に挿入されている。
【００２３】
フレーム部２の３か所には、制御基板１０３に向けて延びる爪脚部９ａ、９ｂ、９ｃが設けられている。各爪脚部９ａ、９ｂ、９ｃは、取付け脚３よりも下方に延び、その下端部１０は爪形状となっている。また、各爪脚部９ａ、９ｂ、９ｃは、爪形状と逆側に突出する間隔保持リブ１１を有する。この間隔保持リブ１１と下端部１０との間隔ｇは、制御基板１０３の厚さと等しいか若干大きく形成されている。
【００２４】
一方、制御基板１０３には、各爪脚部９ａ、９ｂ、９ｃに対応した３か所の係合用の角穴１１０が設けられている。爪脚部９は、表示操作基板１０２の前端縁ｆ２越しに突き出されており、各爪脚部９ａ、９ｂ、９ｃの下端部１０が対応する角穴１１０に爪係合されている。この状態で、各間隔保持リブ１１は、制御基板１０３の基板面に軽く当たり、表示操作基板１０２と制御基板１０３との対面間隔を保つ。これにより、両基板１０２、１０３がスイッチスペーサ１の各爪脚部９ａ、９ｂ、９ｃにより連結された状態となっている。
【００２５】
さらに、フレーム部２の外側面には、表示操作基板１０２の前端縁ｆ２越しに制御基板１０３に向けて延びる弾性脚部１２ａ、１２ｂが設けられている。各弾性脚部１２ａ、１２ｂは、爪脚部９ａ、９ｂの側方から爪脚部９ａ、９ｂに沿うようにして制御基板１０３の前端縁ｆ３よりも下方まで突き出されている。これにより、各弾性脚部１２ａ、１２ｂは、係合状態の各爪脚部９ａ、９ｂに対して制御基板１０３の周方向においてずれ合った状態で前端縁ｆ３に外掛かりするようになっている。また、各弾性脚部１２ａ、１２ｂは、自然状態で制御基板１０３の前端縁ｆ３よりも内方に入り込むように緩やかに湾曲されており、各爪脚部９ａ、９ｂないし各弾性脚部１２ａ、１２ｂ間の爪係合方向Ｃにおける間隔は、爪係合前の状態において、角穴１１０を通る前端縁ｆ３の法線長さよりも短く設けられている。これにより、各弾性脚部１２ａ、１２ｂは上記の外掛かり状態で内向きの弾性締付け力を奏し、係合状態の各爪脚部９ａ、９ｂと共に制御基板１０３を爪係合方向Ｃに挟むようになっている。
【００２６】
なお、スイッチスペーサ１は、爪脚部９ａ、９ｂ、９ｃと弾性脚部１２ａ、１２ｂが要する弾性を満足させる樹脂からなる一体成形品である。
【００２７】
次に、上記のスイッチスペーサ１、表示操作基板１０２及び制御基板１０３の取付けについて説明する。図６は、電気機器１００の組立作業において、表示操作基板１０２及び制御基板１０３を取付ける段階を前方右斜め上から見た様子を示し、図７（ａ）は、電気機器１００のスイッチスペーサ１付近を図３（ａ）のＶＩＩ−ＶＩＩ線に沿って切断し、矢視した様子を拡大して示し、（ｂ）図は、（ａ）図のｂ−ｂ線に沿って切断し、矢視した様子を縮小して示す。
【００２８】
図６、図７に示すように、電気炊飯器１００の肩部１１１の内壁面には、表示操作基板１０２を制御基板１０３との対面方向Ａに支持する取付け部１１２が設けられている。この取付け部１１２は、肩部１１１の内壁面両側の面に設けられた対向一対の位置決め部１１３ａ、１１３ａと、操作パネル１０１の貼付け部分の裏側に設けられた一対のねじ止め用ボス１１４、１１４とからなる。また、位置決め部１１３ａ、１１３ａの下方には、対面方向Ａにおいて表示操作基板１０２及び制御基板１０３間の対面間隔に対応させて、位置決め部１１３ａ、１１３ａと同様の位置決め部１１３ｂ、１１３ｂが設けられている。
【００２９】
上記取付け部１１２への表示操作基板１０２の取付けは次の通りである。先ず、取付け脚３及び突起４を表示操作基板１０２の挿入孔１０９ａ、１０９ｂに係合してスイッチスペーサ１を表示操作基板１０２に取付ける。次に、スイッチスペーサ１側を操作パネル１０１側に向けた状態で表示操作基板１０２の側端縁ｓ２を位置決め部１１３ａ、１１３ａのテーパ面に押し込むようにしてここを通過させる。次に、ねじ止め用ボス１１４、１１４をスイッチスペーサ１のねじ止め用スリーブ５の一端と突き合わせ、表示操作基板１０２の下面側から挿入したビス１１５をねじ止め用ボス１１４に螺入させると、表示操作基板１０２は取付け部１１２に装着された状態になる。この状態で、上記の各スペーサ部７、肩部１１１に設けた所要の穴１１６を通り、操作パネル１０１の操作ボタン部１０８の下面に接触する。また、発光素子カバー８は、他の穴１１６の下方に臨む。
【００３０】
表示操作基板１０２の装着後、制御基板１０３を、表示操作基板１０２に対してフラットケーブル１０７で折り返すようにしながら上記と同様にして位置決め部１１３ｂ、１１３ｂを通過させ、表示操作基板１０２と対面状態にさせる。そして、弾性脚部１２ａ、１２ｂを少し外側へ曲げながら弾性脚部１２ａ、１２ｂを制御基板１０３の前端縁ｆ３に掛け、各爪脚部９ａ、９ｂ、９ｃの下端部１０を制御基板１０３の角穴１１０に挿入して制御基板１０３に爪係合させる（図１参照）。これにより、間隔保持部１１が制御基板１０３に当たり、表示操作基板１０２と制御基板１０３とは、スイッチスペーサ１により相互に対面間隔を保つように連結され、操作パネル１０１の下方に配置された状態になる。
【００３１】
その後、図１に示すように、制御基板１０３の各端子１１７に蓋１１８側へのリード線１１９等を接続させる（図８（ａ）〜（ｃ）参照）。このリード線１１９は、機器内部空間を通して肩ヒンジ部１２０に導かれており、ヒンジピン１２１よりも上方に形成された肩ヒンジ部１２０のリード掛部１２２に通される。このリード掛部１２２は、フック状に設けられており、リード線１１９は、引掛け部１２２により束ねられた状態で蓋１１８内に至っている。これにより、蓋１１８の開閉時、リード線１１９がヒンジピン１２１の上方においてヒンジばね１２３に噛み込まれることが防止される。
【図面の簡単な説明】
【００３２】
【図１】実施形態に係るスイッチスペーサの全体斜視図。
【図２】実施形態に係る電気機器の全体斜視図。
【図３】（ａ）同上のスイッチスペーサの上面図、（ｂ）（ａ）図の後面図。
【図４】図２のスイッチスペーサ付近を図３（ａ）のＩＶ−ＩＶ線に沿って切断した断面の部分拡大縦断側面図。
【図５】同上のスイッチスペーサの分解斜視図。
【図６】同上の電気機器の表示操作基板の取付け段階の組立図。
【図７】（ａ）図２のスイッチスペーサ付近を図３（ａ）のＶＩＩ−ＶＩＩ線に沿って切断した断面の部分拡大縦断側面図、（ｂ）（ａ）図のｂ−ｂ線の断面矢視図。
【図８】（ａ）同上の電気機器の肩ヒンジ部を一部切欠いて示す後方斜視図、（ｂ）（ａ）図のリード掛部の拡大上面図、（ｂ）（ａ）図のリード掛部の拡大後面図。
【符号の説明】
【００３３】
１  スイッチスペーサ
２  フレーム
３  取付け脚
４  突起
５  ねじ止め用スリーブ
６  弾性アーム
７  スペーサ部
８  発光素子カバー
９ａ、９ｂ、９ｃ  爪脚部
１０  下端部
１１  間隔保持リブ
１２ａ、１２ｂ  弾性脚部
１００  電気機器
１０１  操作パネル
１０２  表示操作基板
１０３  制御基板
１０４  スイッチ
１０５  発光素子
１０６  電子素子
１０７  フラットケーブル
１０８  操作ボタン部
１０９ａ、１０９ｂ  挿入孔
１１０  角穴
１１１  肩部
１１２  取付け部
１１３ａ、１１３ｂ  位置決め部
１１４  ねじ止め用ボス
１１５  ビス
１１６  穴
１１７  端子
１１８  蓋
１１９  リード線
１２０  肩ヒンジ部
１２１  ヒンジピン
１２２  リード掛部
１２３  ヒンジばね
ｂ２、ｂ３  後端縁
ｓ２、ｓ３  側端縁
ｆ２、ｆ３  前端縁
【図１】
2006185850.tif 000003
【図２】
2006185850.tif 000004
【図３】
2006185850.tif 000005
【図４】
2006185850.tif 000006
【図５】
2006185850.tif 000007
【図６】
2006185850.tif 000008
【図７】
2006185850.tif 000009
【図８】
2006185850.tif 000010